【手続補正書】
【提出日】平成16年11月12日(2004.11.12)
【手続補正１】
【補正対象書類名】明細書
【補正対象項目名】特許請求の範囲
【補正方法】変更
【補正の内容】
【特許請求の範囲】
【請求項１】
装着された撮影光学系とデータの授受を行う通信手段と、前記撮影光学系による物体像を複数の画素を持つ光電変換素子上に再結像する一対の再結像光学系、及び、該再結像光学系の入射瞳を前記撮影光学系の所定位置に投影する瞳投影手段を具備し、前記光電変換素子の一部の画素の出力を用いることにより焦点検出を可能とする焦点検出視野を撮像画面内に複数持つ焦点検出装置とを有するカメラにおいて、
該カメラに装着される撮影光学系の現在の開放Ｆナンバーが、所定の開放Ｆナンバーよりも大きい場合、前記複数の焦点検出視野のうち特定の焦点検出視野のみの焦点検出動作を許可するか否かの動作可否情報を、該カメラに装着可能な撮影光学系別の情報として記憶する記憶手段を有したことを特徴とするカメラ。
【請求項２】
前記通信手段を介して、該カメラに装着されている前記撮影光学系の開放Ｆナンバーを取得し、この時の開放Ｆナンバーが所定の開放Ｆナンバーよりも大きいか否かを比較し、大きい場合には、前記記憶手段に記憶されている動作可否情報に基づいて、焦点検出動作を制御する焦点検出動作制御手段を有したことを特徴とする請求項１記載のカメラ。
【請求項３】
前記焦点検出動作制御手段は、装着された前記撮影光学系の開放Ｆナンバーが所定の開放Ｆナンバーよりも大きいと判別した際に、前記記憶手段内の前記撮影光学系に対応する動作可否情報が動作許可を示す情報であった場合は、特定の焦点検出視野のみにて焦点検出動作を行わせることを特徴とする請求項２記載のカメラ。
【請求項４】
前記特定の焦点検出視野は、撮影画面内の中央の焦点検出視野であることを特徴とする請求項１，２又は３記載のカメラ。
【請求項５】
焦点検出動作を行う焦点検出視野の位置を表示する表示手段を有していることを特徴とする請求項２又は３記載のカメラ。
【請求項６】
前記撮影光学系は、撮影レンズ、又は、撮影レンズとカメラとの間に装着され、前記撮影レンズとは異なる焦点距離と開放Ｆナンバーを得る為のレンズ系と前記撮影レンズとにより構成されることを特徴とする請求項１，２，３，４又は５記載のカメラ。
【請求項７】
前記撮影レンズとは異なる焦点距離と開放Ｆナンバーを得る為のレンズ系とは、テレコンバージョンレンズであることを特徴とする請求項６記載のカメラ。
【請求項８】
複数の異なる焦点検出視野でのフォーカス情報をそれぞれ検出するための焦点検出装置を有するカメラにおいて、
撮影光学系の開放Ｆナンバーが所定の値よりも小さい時は複数の視野でのフォーカス情報の検出を許可し、該所定の値と同一又はそれよりも大きな開放Ｆナンバーの時は、予め決められた特定の１つの視野以外の視野でのフォーカス状態の検出が可能な場合でも前記特定の１つの視野を選択して該選択した視野でのフォーカス情報の検出を許可することを特徴とするカメラ。
【請求項９】
前記開放Ｆナンバーが所定の値よりも小さい時は、少なくとも３つ以上の視野を選択することを特徴とする請求項８記載のカメラ。
【請求項１０】
前記特定の１つの視野は、画面の中央の視野であることを特徴とする請求項８記載のカメラ。
【請求項１１】
前記撮影光学系はカメラに交換可能に装着される交換装置であり、装着された撮影光学系に対して前記特定の１つの視野でのフォーカス状態の検出を許可するか否かを表す情報を記憶する記憶手段がカメラ又は交換装置内に設けられ、該記憶手段からの情報が許可を表す場合であり、かつ開放Ｆナンバーが前記所定の値と同一又はそれより大きい値の時に、前記特定の１つの視野を選択することを特徴とする請求項８又は１０記載のカメラ。
【請求項１２】
複数の異なる焦点検出視野でのフォーカス情報をそれぞれ検出するための焦点検出装置を有するカメラであって、撮影光学系の開放Ｆナンバーが所定の値よりも小さい時は複数の視野でのフォーカス情報の検出を許可し、該所定の値と同一又はそれよりも大きな開放Ｆナンバーの時であり、許可情報が得られた場合には、予め決められた特定の１つの視野以外の視野でのフォーカス状態の検出が可能な場合でも前記特定の１つの視野を選択して該選択された視野でフォーカス情報の検出を行うカメラに装着される交換レンズ装置において、
前記カメラに伝達するための許可情報を記憶する記憶手段が設けられていることを特徴とする交換レンズ装置。
【請求項１３】
複数の異なる焦点検出視野でのフォーカス情報をそれぞれ検出するための焦点検出装置を有するカメラであって、撮影光学系の開放Ｆナンバーが所定の値よりも小さい時は複数の視野でのフォーカス情報の検出を許可し、該所定の値と同一又はそれよりも大きな開放Ｆナンバーの時は、予め決められた特定の１つの視野以外の視野でのフォーカス状態の検出が可能な場合でも前記特定の１つの視野を選択して該選択した視野でのフォーカス情報の検出を許可するカメラと、該カメラに装着される交換レンズ装置から成るカメラシステムにおいて、
前記特定の１つの視野でのフォーカス状態の検出を行わせるか否かを決める情報を複数の特定のレンズ装置それぞれに対応して記憶する記憶手段を前記カメラ内に設けるとともに、前記複数の特定のレンズ装置以外の所定のレンズ装置に前記特定の１つの視野でのフォーカス状態の検出を行わせる情報を記憶する記憶手段を設け、カメラに前記複数の特定のレンズ装置のいすれかが装着された際には、前記カメラ内の記憶手段にレンズ装置に対応して記憶された前記情報に基づいて、該装着されたレンズ装置に対する情報が特定の１つの視野でのフォーカス情報の検出を許可する情報である時に前記特定の１つの視野でのフォーカス情報の検出を許可し、又前記複数の特定のレンズ装置以外のレンズ装置が装着された際には、レンズ装置内の記憶手段に記憶された情報が前記特定の１つの視野でのフォーカス情報の検出を行わせる情報である時は前記特定の１つの視野でのフォーカス情報の検出を許可することを特徴とするカメラシステム。
【請求項１４】
前記開放Ｆナンバーが前記所定の値と同一又はそれより大きい時に前記記憶手段からの情報が許可を表す情報で無い時、各視野でのフォーカス検知を禁止することを特徴とする請求項１１記載のカメラ。
【請求項１５】
撮影レンズの射出瞳を第一の方向に分離するとともに該第一とは異なる第二の方向に分離する焦点検出光学系と、該焦点検出光学系を介した光束を受光するセンサ部とを備え、該センサ部での異なる複数の位置のセンサ手段での出力に基づいて、それぞれ異なる焦点検出視野におけるフォーカス状態を検出する焦点検出装置を有するカメラにおいて、
前記第一の方向に分離する光学部を介した光束は開放Ｆナンバーが上限値として第１の値の所定の範囲のＦナンバー値の時に複数の第一の数の焦点検出視野でのフォーカス状態の検知を可能状態にし、前記範囲の値よりも大きな値の開放Ｆナンバーに対しては、そのＦナンバー値に応じて前記第一の数を構成する焦点検出視野のうちの視野であり前記第一の数よりも少ない数の焦点検出視野でのフォーカス状態の検出を可能状態にし、又前記第二の方向に分離する光学部を介した光束は開放Ｆナンバーが上限値として前記第１の値よりも小さな第２の値の所定の範囲のＦナンバーの時に前記第一の数を構成する焦点検出視野のうちの視野であり前記第一の数よりも少ない複数の第二の数の焦点検出視野でのフォーカス状態の検出を可能状態にし、前記範囲よりも大きな値の開放Ｆナンバーに対してはそのＦナンバー値に応じて前記第二の数を構成する焦点検出視野のうちの視野であり、前記第二の数よりも少ない数の焦点検出視野でのフォーカス状態の検出を可能状態になるように前記焦点検出光学系を構成するとともに、開放Ｆナンバーが前記第１の値より大きい時は、予め決められた特定の１つの視野以外の視野でのフォーカス状態の検出が可能な場合でも前記特定の１つの視野を前記第一の方向に分離した光学部での焦点検出したとして選択し、更に開放Ｆナンバーが前記第２の値より大きい時は、予め決められた特定の１つの視野以外の視野でのフォーカス状態の検出が可能な場合でも前記特定の１つの視野を前記第二の方向に分離した光学部での焦点検出視野として選択することを特徴とするカメラ。
【請求項１６】
前記開放Ｆナンバーが前記第１の値よりも大きく、かつ前記第２の値よりも大きい第３の値よりも大きい値の時は、前記第二の方向に分離した光学系での焦点検出動作を禁止することを特徴とする請求項１５記載のカメラ。
【請求項１７】
前記補助光を投光して焦点検出を行わせる補助光モードに設定されているときは、前記開放Ｆナンバーが前記第１の値よりも大きく、かつ前記第２の値よりも大きい第３の値よりも大きい値の場合でも、前記第二の方向に分離した光学部での焦点検出視野として前記特定の１つの視野を選択して特定の焦点検出動作を行わせることを特徴とする請求項１６記載のカメラ。
【請求項１８】
前記開放Ｆナンバーが前記第１の値よりも大きい第４の値よりも大きいＦナンバーの時は、焦点検出動作を禁止することを特徴とする請求項１５，１６又は１７記載のカメラ。
【請求項１９】
前記撮影レンズはカメラに交換可能に装着される交換レンズ装置であり、前記特定の１つの視野の選択を許可するか否かを表す情報を記憶する記憶手段がカメラ又は交換レンズ装置内に設けられ、該記憶手段からの情報が許可を表す場合、開放Ｆナンバーが前記第１の値又は第２の値より大きい値の時に前記特定の１つの視野を選択することを特徴とする請求項１５，１６，１７又は１８記載のカメラ。
【手続補正２】
【補正対象書類名】明細書
【補正対象項目名】０００１
【補正方法】変更
【補正の内容】
【０００１】
【発明の属する技術分野】本発明は、光電変換素子の一部の画素の出力を用いることにより焦点検出を可能とする焦点検出視野を撮像画面内に複数持つ焦点検出装置を有するカメラや、交換レンズ装置及びカメラシステムの改良に関するものである。
【手続補正３】
【補正対象書類名】明細書
【補正対象項目名】００２８
【補正方法】変更
【補正の内容】
【００２８】
【課題を解決するための手段】上記第１の目的を達成するために、請求項１〜７記載の本発明は、装着された撮影光学系とデータの授受を行う通信手段と、前記撮影光学系による物体像を複数の画素を持つ光電変換素子上に再結像する一対の再結像光学系、及び、該再結像光学系の入射瞳を前記撮影光学系の所定位置に投影する瞳投影手段を具備し、前記光電変換素子の一部の画素の出力を用いることにより焦点検出を可能とする焦点検出視野を撮像画面内に複数持つ焦点検出装置とを有するカメラにおいて、該カメラに装着される撮影光学系の現在の開放Ｆナンバーが、所定の開放Ｆナンバーよりも大きい場合、前記複数の焦点検出視野のうち特定の焦点検出視野のみの焦点検出動作を許可するか否かの動作可否情報を、該カメラに装着可能な撮影光学系別の情報として記憶する記憶手段を有したカメラとするものである。
【手続補正４】
【補正対象書類名】明細書
【補正対象項目名】００３８
【補正方法】変更
【補正の内容】
【００３８】
同じく上記第１の目的を達成するために請求項１５〜１９記載の本発明は、撮影レンズの射出瞳を第一の方向に分離するとともに該第一とは異なる第二の方向に分離する焦点検出光学系と、該焦点検出光学系を介した光束を受光するセンサ部とを備え、該センサ部での異なる複数の位置のセンサ手段での出力に基づいて、それぞれ異なる焦点検出視野におけるフォーカス状態を検出する焦点検出装置を有するカメラにおいて、前記第一の方向に分離する光学部を介した光束は開放Ｆナンバーが上限値として第１の値の所定の範囲のＦナンバー値の時に複数の第一の数の焦点検出視野でのフォーカス状態の検知を可能状態にし、前記範囲の値よりも大きな値の開放Ｆナンバーに対しては、そのＦナンバー値に応じて前記第一の数を構成する焦点検出視野のうちの視野であり前記第一の数よりも少ない数の焦点検出視野でのフォーカス状態の検出を可能状態にし、又前記第二の方向に分離する光学部を介した光束は開放Ｆナンバーが上限値として前記第１の値よりも小さな第２の値の所定の範囲のＦナンバーの時に前記第一の数を構成する焦点検出視野のうちの視野であり前記第一の数よりも少ない複数の第二の数の焦点検出視野でのフォーカス状態の検出を可能状態にし、前記範囲よりも大きな値の開放Ｆナンバーに対してはそのＦナンバー値に応じて前記第二の数を構成する焦点検出視野のうちの視野であり、前記第二の数よりも少ない数の焦点検出視野でのフォーカス状態の検出を可能状態になるように前記焦点検出光学系を構成するとともに、開放Ｆナンバーが前記第１の値より大きい時は、予め決められた特定の１つの視野以外の視野でのフォーカス状態の検出が可能な場合でも前記特定の１つの視野を前記第一の方向に分離した光学部での焦点検出したとして選択し、更に開放Ｆナンバーが前記第２の値より大きい時は、予め決められた特定の１つの視野以外の視野でのフォーカス状態の検出が可能な場合でも前記特定の１つの視野を前記第二の方向に分離した光学部での焦点検出視野として選択するカメラとするものである。